(57)【要約】【課題】部品や工程の変更のタイミングに合わせて、作業および検査内容の変更を製造現場に指示することを可能にし、指示漏れや指示ミスの発生を抑制する。【解決手段】工程管理装置１の記憶部１１は、部品表情報と、部品付属情報と品質基準情報とを対応付けた工程管理情報と、を記憶する。変更取得部１２は、部品工程変更情報および品質基準変更情報を取得する。変更部１３は、部品工程変更情報にしたがって、部品表情報および部品付属情報の少なくとも一方を変更する。変更通知部１４は、部品表情報および部品付属情報の少なくとも一方が変更されると、品質基準情報を管理するユーザに通知する。変更部１３は、品質基準変更情報にしたがって、品質基準情報を変更する。指示情報生成部１５は、工程管理情報の変更に伴う作業指示および検査指示の少なくとも一方を示す指示情報を生成する。指示情報出力部１６は、指示情報を出力する。【選択図】図１
2015197864.tif 000002
【特許請求の範囲】
【請求項１】
製品を製造する工程における作業および検査を指示する工程管理装置であって、
前記製品を構成する部品を示す部品表情報と、前記部品表情報に含まれる部品の製造工程に関する情報である部品付属情報と当該部品の検査内容を示す品質基準情報とを対応付けた工程管理情報と、を記憶する記憶部と、
前記部品および工程の少なくとも一方の変更を示す部品工程変更情報を取得する部品工程変更取得部と、
前記部品工程変更情報にしたがって、前記部品表情報および前記部品付属情報の少なくとも一方を変更する部品工程変更部と、
前記部品表情報および前記部品付属情報の少なくとも一方が変更されると、前記品質基準情報を管理するユーザに通知する変更通知部と、
前記部品の検査内容の変更を示す品質基準変更情報を取得する品質基準変更取得部と、
前記品質基準変更情報にしたがって、前記品質基準情報を変更する品質基準変更部と、
前記工程管理情報が変更されると、変更に伴う作業指示および検査指示の少なくとも一方を示す指示情報を生成する指示情報生成部と、
前記指示情報生成部が生成した指示情報を出力する指示情報出力部と、
を備える工程管理装置。
【請求項２】
製品を製造する工程における作業および検査を指示する工程管理装置と、前記製品を構成する部品を検査する検査設備を制御する制御装置と、で構成される工程管理システムであって、
前記工程管理装置は、
前記製品を構成する部品を示す部品表情報と、前記部品表情報に含まれる部品の製造工程に関する情報である部品付属情報と当該部品の検査内容を示す品質基準情報とを対応付けた工程管理情報と、を記憶する記憶部、
前記部品および工程の少なくとも一方の変更を示す部品工程変更情報を取得する部品工程変更取得部、
前記部品工程変更情報にしたがって、前記部品表情報および前記部品付属情報の少なくとも一方を変更する部品工程変更部、
前記部品表情報および前記部品付属情報の少なくとも一方が変更されると、前記品質基準情報を管理するユーザに通知する変更通知部、
前記部品の検査内容の変更を示す品質基準変更情報を取得する品質基準変更取得部、
前記品質基準変更情報にしたがって、前記品質基準情報を変更する品質基準変更部、
前記工程管理情報が変更されると、変更に伴う作業指示および検査指示の少なくとも一方を示す指示情報を生成する指示情報生成部、および、
前記指示情報生成部が生成した指示情報を出力する指示情報出力部、
を備え、
前記指示情報出力部は、前記検査指示を示す指示情報を前記制御装置に送信し、
前記制御装置は、
前記工程管理装置から前記検査指示を示す指示情報を受信する指示情報取得部、
前記検査指示に対応する前記検査設備の制御方法を示す対応表を記憶する対応表記憶部、および、
前記検査指示を示す指示情報と前記対応表とに基づいて、前記検査設備を制御する制御部、
を備える工程管理システム。
【請求項３】
製品を製造する工程における作業および検査を指示する工程管理装置が実行する工程管理方法であって、
前記製品の部品および工程の少なくとも一方の変更を示す部品工程変更情報を取得する部品工程変更取得ステップと、
前記部品工程変更情報にしたがって、前記製品を構成する部品を示す部品表情報および前記部品表情報に含まれる部品の製造工程に関する情報である部品付属情報の少なくとも一方を変更する部品工程変更ステップと、
前記部品表情報および前記部品付属情報の少なくとも一方が変更されると、前記部品表情報に含まれる部品の検査内容を示す品質基準情報を管理するユーザに通知する変更通知ステップと、
前記部品の検査内容の変更を示す品質基準変更情報を取得する品質基準変更取得ステップと、
前記品質基準変更情報にしたがって、前記品質基準情報を変更する品質基準変更ステップと、
前記部品付属情報と前記品質基準情報とを対応付けた工程管理情報が変更されると、変更に伴う作業指示および検査指示の少なくとも一方を示す指示情報を生成する指示情報生成ステップと、
を備える工程管理方法。
【請求項４】
製品を製造する工程における作業および検査を指示するコンピュータを、
前記製品を構成する部品を示す部品表情報と、前記部品表情報に含まれる部品の製造工程に関する情報である部品付属情報と当該部品の検査内容を示す品質基準情報とを対応付けた工程管理情報と、を記憶する記憶部、
前記部品および工程の少なくとも一方の変更を示す部品工程変更情報を取得する部品工程変更取得部、
前記部品工程変更情報にしたがって、前記部品表情報および前記部品付属情報の少なくとも一方を変更する部品工程変更部、
前記部品表情報および前記部品付属情報の少なくとも一方が変更されると、前記品質基準情報を管理するユーザに通知する変更通知部、
前記部品の検査内容の変更を示す品質基準変更情報を取得する品質基準変更取得部、
前記品質基準変更情報にしたがって、前記品質基準情報を変更する品質基準変更部、
前記工程管理情報が変更されると、変更に伴う作業指示および検査指示の少なくとも一方を示す指示情報を生成する指示情報生成部、および、
前記指示情報生成部が生成した指示情報を出力する指示情報出力部、
として機能させるプログラム。
【発明の詳細な説明】
【技術分野】
【０００１】
本発明は、製品を製造する工程における作業および検査を指示する工程管理装置、工程管理システム、工程管理方法およびプログラムに関する。
【背景技術】
【０００２】
工場の製品の製造工程などにおいて、製品を構成する部品を示す情報であって、部品の在庫確認や部品手配、資材調達などで使用されるＭ−ＢＯＭ（manufacturing bill of materials）という部品表がある。
【０００３】
一方、部品を検査する検査設備や検査項目、検査頻度、判定基準などを含む検査内容を示す品質基準情報は、工程を管理するためのＱＣ工程図の中などで取り扱われている。
【０００４】
特許文献１には、量産時に品質不良が発生した場合において、製造現場での品質情報から設計開発段階での品質完成度までを瞬時に追跡して検索することができる開発・製造情報のデータトレースシステムが開示されている。
【０００５】
特許文献２には、生産装置の状態をリアルタイムに監視し異常を早期に発見することで、仕掛品の滞留時間の短縮を図り、製品のトレサビリティ情報として利用できるようにした生産品質システムが開示されている。
【先行技術文献】
【特許文献】
【０００６】
【特許文献１】特開２００５−２３５１３０号公報
【特許文献２】特開２００９−０８０６４９号公報
【発明の概要】
【発明が解決しようとする課題】
【０００７】
一般的にＭ−ＢＯＭは、生産管理システムの基準情報の一つとして、部品手配、部材払出し、工程進捗管理に使用されている。一方で、工程管理上必要な情報の一つである、品質基準情報については、ＱＣ工程図等で別管理となっている場合が多く、部品・工程の変更のタイミングに連動していなかった。
【０００８】
その結果、部品・工程の変更が発生する度に、製造現場の監督者が、変更のタイミングと新旧ＱＣ工程図をつき合わせて、作業要領書を作成の上、製造を指示する等の手間が発生していた。さらに、このような手間による指示漏れや指示ミスの発生の抑制も大きな課題であった。特に、複数機種にまたがって、同一部品や工程を変更させる場合、機種ごとの変更指示や実施確認が煩雑である為、変更指示の抜けや漏れが発生していた。
【０００９】
特許文献１および２の技術では、Ｍ−ＢＯＭと品質基準情報とが対応付けられていないため、部品や工程の変更のタイミングに合わせて、作業および検査内容の変更を製造現場に指示することが困難である。
【００１０】
本発明は、上述のような事情に鑑みてなされたもので、部品や工程の変更のタイミングに合わせて、作業および検査内容の変更を製造現場に指示することを可能にし、指示漏れや指示ミスの発生を抑制することを目的とする。
【課題を解決するための手段】
【００１１】
上記目的を達成するため、本発明に係る工程管理装置は、製品を製造する工程における作業および検査を指示する工程管理装置である。工程管理装置は、記憶部と、部品工程変更取得部と、部品工程変更部と、変更通知部と、品質基準変更取得部と、品質基準変更部と、指示情報生成部と、指示情報出力部とを備える。記憶部は、製品を構成する部品を示す部品表情報と、部品表情報に含まれる部品の製造工程に関する情報である部品付属情報と当該部品の検査内容を示す品質基準情報とを対応付けた工程管理情報と、を記憶する。部品工程変更取得部は、部品および工程の少なくとも一方の変更を示す部品工程変更情報を取得する。部品工程変更部は、部品工程変更情報にしたがって、部品表情報および部品付属情報の少なくとも一方を変更する。変更通知部は、部品表情報および部品付属情報の少なくとも一方が変更されると、品質基準情報を管理するユーザに通知する。品質基準変更取得部は、部品の検査内容の変更を示す品質基準変更情報を取得する。品質基準変更部は、品質基準変更情報にしたがって、品質基準情報を変更する。指示情報生成部は、工程管理情報が変更されると、変更に伴う作業指示および検査指示の少なくとも一方を示す指示情報を生成する。指示情報出力部は、指示情報生成部が生成した指示情報を出力する。
【発明の効果】
【００１２】
本発明によれば、製品を構成する部品を示す部品表情報と部品の検査内容を示す品質基準情報品質基準情報とを対応付けることにより、部品や工程の変更のタイミングに合わせて、作業および検査内容の変更を製造現場に指示することを可能にし、指示漏れや指示ミスの発生を抑制することができる。
【図面の簡単な説明】
【００１３】
【図１】本発明の実施の形態に係る工程管理装置の機能構成例を示す図である。
【図２】実施の形態に係るＭ−ＢＯＭの一例を示す図である。
【図３】（ａ）部品Ｚの工程管理情報の一例を示す図である。（ｂ）部品ａの工程管理情報の一例を示す図である。
【図４】実施の形態に係る工程管理処理の動作の一例を示すフローチャートである。
【図５】変形例に係る工程管理システムの機能構成例を示す図である。
【図６】実施の形態に係る工程管理装置のハードウェア構成の一例を示すブロック図である。
【発明を実施するための形態】
【００１４】
以下に、本発明を実施するための形態について図面を参照して詳細に説明する。なお、図中同一または相当する部分には同じ符号を付す。本実施の形態では、製品ごとの構成部品を示す部品表情報をＭ−ＢＯＭとする。
【００１５】
図１は、本発明の実施の形態に係る工程管理装置の機能構成例を示す図である。工程管理装置１は、記憶部１１、変更取得部１２、変更部１３、変更通知部１４、指示情報生成部１５および指示情報出力部１６を備える。
【００１６】
記憶部１１は、Ｍ−ＢＯＭと、部品付属情報および品質基準情報とを対応付けた工程管理情報とを記憶する。部品付属情報は、部品を識別する情報や製造期間、製造手順を示す情報など、Ｍ−ＢＯＭに含まれる部品の製造工程に関する情報である。
【００１７】
図２は、実施の形態に係るＭ−ＢＯＭの一例を示す図である。完成品Ａは、部品Ｘ、部品Ｙおよび部品Ｚで構成される。部品Ｘは、部品ａおよび部品ｂで構成される。部品ａは部品ｃおよび部品ｄで構成される。部品Ｚは、部品ｅおよび部品ｆで構成される。
【００１８】
部品Ｚは、外作の部品であって、部品ａは内作の部品である。以下、部品Ｚおよび部品ａに着目して工程管理情報について説明する。
【００１９】
図３（ａ）は、部品Ｚの工程管理情報の一例を示す図である。工程管理情報は、部品を識別する「品目コード」、部品の名称を示す「品目名称」、部品の製造にかかる期間を示す「製造期間」、決められた作業条件の下で１つの部品を完成させるまでの各工程にかかる標準の作業時間の合計を示す「標準作業時間」、部品の製造エリアを示す「製造エリア」、部品の検査の種類を示す「検査項目」、部品の検査の頻度を示す「検査頻度」および部品の検査の基準を示す「検査基準」の項目で構成される。
【００２０】
工程管理情報に含まれる項目のうち、「品目コード」、「品目名称」、「製造期間」、「標準作業時間」および「製造エリア」は、部品付属情報であり、「検査項目」、「検査頻度」および「検査基準」は品質基準情報である。
【００２１】
部品Ｚの「品目コード」は、Ｚである。「品目名称」は、○○フレームである。「製造期間」は、４日である。「標準作業時間」は、１０時間である。「製造エリア」は、外注の△△会社である。部品Ｚの「検査項目」は、寸法検査である。「検査頻度」は、抜き取り検査である。「検査基準」は、奥行き（Ｄ）が１００±０．５、幅（Ｗ）が５０±０．５、高さ（Ｈ）が４５±０．３である。
【００２２】
図３（ｂ）は、部品ａの工程管理情報の一例を示す図である。部品ａの「品目コード」は、ａである。「品目名称」は、××ユニットである。「製造期間」は、２日である。「標準作業時間」は、１５時間である。「製造エリア」は、内製の□□工場である。部品ａの「検査項目」は、通電検査である。「検査頻度」は、全数検査である。「検査基準」は、２．０±０．２Ωである。
【００２３】
Ｍ−ＢＯＭと工程管理情報とは品目コードで対応付けられている。
【００２４】
図１に戻り、工程管理装置１の変更取得部１２は、部品および工程の少なくとも一方の変更を示す部品工程変更情報を取得する。部品工程変更情報は、Ｍ−ＢＯＭを管理するユーザが変更取得部１２に直接入力してもよいし、Ｍ−ＢＯＭを管理するユーザが使用する端末から工程管理装置１に送信し、変更取得部１２が受信してもよい。変更取得部１２は、取得した部品工程変更情報を変更部１３に送る。
【００２５】
変更部１３は、変更取得部１２から受け取った部品工程変更情報にしたがって、記憶部１１が記憶するＭ−ＢＯＭおよび部品付属情報の少なくとも一方を変更する。
【００２６】
Ｍ−ＢＯＭおよび部品付属情報の少なくとも一方が変更されると、変更通知部１４は、品質基準情報を管理するユーザに通知する。通知方法は、変更されたことを画面表示や音声出力してもよいし、品質基準情報を管理するユーザが使用する端末に変更されたことを示す情報を送信してもよい。
【００２７】
品質基準情報を管理するユーザは、Ｍ−ＢＯＭおよび部品付属情報の少なくとも一方が変更されたことを通知されると、通知された変更に合わせた部品の検査内容の変更を示す品質基準変更情報を工程管理装置１に入力する。品質基準変更情報は、品質基準情報を管理するユーザが変更取得部１２に直接入力してもよいし、品質基準情報を管理するユーザが使用する端末から工程管理装置１に送信し、変更取得部１２が受信してもよい。変更取得部１２は、取得した部品工程変更情報を変更部１３に送る。
【００２８】
品質基準変更情報は、変更不要であることを示す情報を含む。品質基準情報を管理するユーザは、Ｍ−ＢＯＭおよび部品付属情報の少なくとも一方が変更されても、品質基準情報の変更する必要がない場合には、変更取得部１２に変更不要であることを示す品質基準変更情報を直接入力する、あるいは、自らが使用する端末から工程管理装置１に送信する。
【００２９】
なお、変更通知部１４が、Ｍ−ＢＯＭおよび部品付属情報の少なくとも一方が変更されたことを、品質基準情報を管理するユーザに通知してから所定の時間経過するまでに、変更取得部１２が部品の検査内容の変更を示す品質基準変更情報を取得しない場合、品質基準情報の変更は不要であると判断してもよい。
【００３０】
変更部１３は、変更取得部１２から受け取った品質基準変更情報にしたがって、記憶部１１が記憶する工程管理情報に含まれる品質基準情報を変更する。品質基準変更情報が変更不要であることを示す場合には、変更部１３は品質基準情報を変更しない。
【００３１】
指示情報生成部１５は、記憶部１１が記憶する工程管理情報が変更されると、変更に伴う作業指示および検査指示の少なくとも一方を示す指示情報を生成する。作業指示は、例えば、部品の購買を指示する部品購買指示、内作の部品の製造を指示する内製作業指示、外作の部品の発注を指示する外注作業指示、部品の払出を指示する部品払出指示、部品の支給を指示する部品支給指示などがある。
【００３２】
指示情報出力部１６は、指示情報生成部１５が生成した指示情報を出力する。出力方法は、指示書としてプリントアウトし、作業者や検査担当者が閲覧可能にしてもよいし、作業者や検査担当者の使用する端末に指示情報を送信してもよい。
【００３３】
図４は、実施の形態に係る工程管理処理の動作の一例を示すフローチャートである。工程管理処理は、工程管理装置１に電源が投入されると開始する。
【００３４】
工程管理装置１の変更取得部１２が、部品工程変更情報を取得しない場合（ステップＳ１１；ＮＯ）、ステップＳ１１を繰り返して、部品工程変更情報の取得を待機する。
【００３５】
部品工程変更情報を取得した場合（ステップＳ１１；ＹＥＳ）、変更取得部１２は、部品工程変更情報を変更部１３に送る。変更部１３は、変更取得部１２から受け取った部品工程変更情報にしたがって、記憶部１１が記憶するＭ−ＢＯＭおよび部品付属情報の少なくとも一方を変更する（ステップＳ１２）。変更通知部１４は、記憶部１１が記憶するＭ−ＢＯＭおよび部品付属情報の少なくとも一方が変更されたことを、品質基準情報を管理するユーザに通知する（ステップＳ１３）。
【００３６】
変更取得部１２が、品質基準変更情報を取得しない場合（ステップＳ１４；ＮＯ）、ステップＳ１４を繰り返して、品質基準変更情報の取得を待機する。
【００３７】
品質基準変更情報を取得した場合（ステップＳ１４；ＹＥＳ）、変更取得部１２は品質基準変更情報を変更部１３に送る。変更部１３は、変更取得部１２から品質基準情報の変更不要を示す品質基準変更情報を受け取った場合（ステップＳ１５；ＹＥＳ）、ステップＳ１７に移行する。
【００３８】
変更部１３は、変更取得部１２から部品の検査内容の変更を示す品質基準変更情報を受け取った場合（ステップＳ１５；ＮＯ）、受け取った品質基準変更情報にしたがって、記憶部１１が記憶する工程管理情報に含まれる品質基準情報を変更する（ステップＳ１６）。
【００３９】
指示情報生成部１５は、記憶部１１が記憶する工程管理情報が変更されると、変更に伴う作業指示および検査指示の少なくとも一方を示す指示情報を生成する（ステップＳ１７）。指示情報出力部１６は、指示情報生成部１５が生成した指示情報を出力する（ステップＳ１８）。
【００４０】
工程管理装置１の電源がＯＦＦになっていなければ（ステップＳ１９；ＮＯ）、ステップＳ１１に戻り、ステップＳ１１〜ステップＳ１９を繰り返す。電源がＯＦＦになった場合（ステップＳ１９；ＹＥＳ）、処理を終了する。
【００４１】
以上説明したように実施の形態の工程管理装置１によれば、製品を構成する部品を示す部品表情報と部品の検査内容を示す品質基準情報品質基準情報とを対応付けることにより、部品や工程の変更のタイミングに合わせて、作業および検査内容の変更を製造現場に指示することを可能にし、指示漏れや指示ミスの発生を抑制することができる。
【００４２】
上記の実施の形態では、工程管理装置１の指示情報出力部１６は、検査指示を示す指示情報を指示書としてプリントアウトしたり、検査担当者の使用する端末に指示情報を送信したりする例を示したが、これに限らない。変形例として、工程管理装置１は、部品を検査する検査設備を制御する制御装置と接続してもよい。
【００４３】
図５は、変形例に係る工程管理システムの機能構成例を示す図である。工程管理システム１００は、工程管理装置１と部品を検査する検査設備を制御する制御装置２とで構成される。工程管理装置１の指示情報出力部１６は、検査指示を示す指示情報を制御装置２に送信する。工程管理装置１のその他の構成については、上記の実施の形態と同様である。
【００４４】
制御装置２は、指示情報取得部２１、記憶部２２、および、制御部２３を備える。指示情報取得部２１は、工程管理装置１から検査指示を示す指示情報を受信し、制御部２３に送る。記憶部２２は、検査指示に対応する検査設備の制御方法（例えば、スイッチの制御）を示す対応表を記憶する。制御部２３は、指示情報取得部２１から受け取った検査指示を示す指示情報と記憶部２２が記憶する対応表とを照合し、制御方法を決定する。制御部２３は、決定した制御方法で、検査設備を制御する。
【００４５】
あるいは制御装置２は、指示情報出力部１６がプリントアウトした指示書を読み取り可能としてもよい。この場合、制御装置２の指示情報取得部２１は、指示書を読み取ることで、検査指示を示す指示情報を取得し、取得した指示情報にしたがって、検査設備を制御する。
【００４６】
図６は、本発明の実施の形態に係る工程管理装置のハードウェア構成の一例を示すブロック図である。工程管理装置１は、図６に示すように、制御部５１、主記憶部５２、外部記憶部５３、操作部５４、表示部５５および送受信部５６を備える。主記憶部５２、外部記憶部５３、操作部５４、表示部５５および送受信部５６はいずれも内部バス５０を介して制御部５１に接続されている。
【００４７】
制御部５１はＣＰＵ（Central Processing Unit）などから構成され、外部記憶部５３に記憶されている制御プログラム５９に従って、工程管理装置１の変更取得部１２および指示情報生成部１５の各処理を実行する。
【００４８】
主記憶部５２はＲＡＭ（Random-Access Memory）などから構成され、外部記憶部５３に記憶されている制御プログラム５９をロードし、制御部５１の作業領域として用いられる。
【００４９】
外部記憶部５３は、フラッシュメモリ、ハードディスク、ＤＶＤ−ＲＡＭ、ＤＶＤ−ＲＷなどの不揮発性メモリから構成され、工程管理装置１の処理を制御部５１に行わせるためのプログラムをあらかじめ記憶し、また、制御部５１の指示に従って、このプログラムが記憶するデータを制御部５１に供給し、制御部５１から供給されたデータを記憶する。記憶部１１は外部記憶部５３に構成される。
【００５０】
操作部５４はキーボードおよびマウスなどのポインティングデバイスなどと、キーボードおよびポインティングデバイスなどを内部バス５０に接続するインタフェース装置から構成されている。操作部５４を介して、入力された情報が制御部５１に供給される。変更取得部１２が、部品工程変更情報および品質基準変更情報の入力を受け付ける構成の場合は、操作部５４は、変更取得部１２として機能する。
【００５１】
表示部５５は、ＣＲＴまたはＬＣＤなどから構成されている。作業者が工程管理装置１に入庫情報や出庫情報を入力する場合は、操作画面を表示する。また、指示情報出力部１６が、指示情報を表示または音声出力する構成の場合は、表示部５５は、指示情報出力部１６として機能する。
【００５２】
送受信部５６は、ネットワークに接続する網終端装置または無線通信装置、およびそれらと接続するシリアルインタフェースまたはＬＡＮ（Local Area Network）インタフェースから構成されている。送受信部５６は変更取得部１２、変更通知部１４および指示情報出力部１６として機能する。
【００５３】
図１に示す工程管理装置１の記憶部１１、変更取得部１２、変更通知部１４、指示情報生成部１５および指示情報出力部１６の処理は、制御プログラム５９が、制御部５１、主記憶部５２、外部記憶部５３、操作部５４、表示部５５および送受信部５６などを資源として用いて処理することによって実行する。
【００５４】
その他、前記のハードウェア構成やフローチャートは一例であり、任意に変更および修正が可能である。
【００５５】
制御部５１、主記憶部５２、外部記憶部５３、操作部５４、表示部５５、送受信部５６、内部バス５０などから構成される工程管理装置１の処理を行う中心となる部分は、専用のシステムによらず、通常のコンピュータシステムを用いて実現可能である。例えば、前記の動作を実行するためのコンピュータプログラムを、コンピュータが読み取り可能な記録媒体（フレキシブルディスク、ＣＤ−ＲＯＭ、ＤＶＤ−ＲＯＭなど）に格納して配布し、当該コンピュータプログラムをコンピュータにインストールすることにより、前記の処理を実行する工程管理装置１を構成してもよい。また、インターネットなどの通信ネットワーク上のサーバ装置が有する記憶装置に当該コンピュータプログラムを格納しておき、通常のコンピュータシステムがダウンロードなどすることで工程管理装置１を構成してもよい。
【００５６】
また、工程管理装置１の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００５７】
また、搬送波にコンピュータプログラムを重畳し、通信ネットワークを介して提供することも可能である。例えば、通信ネットワーク上の掲示板（BBS, Bulletin Board System）に前記コンピュータプログラムを掲示し、ネットワークを介して前記コンピュータプログラムを提供してもよい。そして、このコンピュータプログラムを起動し、ＯＳの制御下で、他のアプリケーションプログラムと同様に実行することにより、前記の処理を実行できるように構成してもよい。
【符号の説明】
【００５８】
１  工程管理装置、２  制御装置、１１  記憶部、１２  変更取得部、１３  変更部、１４  変更通知部、１５  指示情報生成部、１６  指示情報出力部、２１  指示情報取得部、２２  記憶部、２３  制御部、５０  内部バス、５１  制御部、５２  主記憶部、５３  外部記憶部、５４  操作部、５５  表示部、５６  送受信部、５９  制御プログラム、１００  工程管理システム。
【図１】
2015197864.tif 000003
【図２】
2015197864.tif 000004
【図３】
2015197864.tif 000005
【図４】
2015197864.tif 000006
【図５】
2015197864.tif 000007
【図６】
2015197864.tif 000008